(57)【要約】【課題】使用するときに使用者による接触、クリーニング又は外部環境の汚染により見難く識別し難くなることを防ぐ空気圧縮機の圧力計の表示構造を提供する。【解決手段】空気圧縮機１３は、圧力計２に接続されるとともに筐体中に収容される。圧力計２の目盛板３１０は、筐体に形成された表示口から露出される。圧力計２は、円筒型本体２１を含む。本体２１は、透明ペン型である。圧力計２の目盛板３１０の圧力値は、着色Ｏリング２０により鮮明に見ることができる。圧力値を有する目盛板３１０は、圧力計２の円筒型本体２１上に印刷されず、透明プレート３が別途設置され、圧力計２の円筒型本体２１に対向した透明プレート３の内側面に圧力値を有する目盛板３１０が設けられている。【選択図】図３
0003230923.tif 000002
【実用新案登録請求の範囲】
【請求項１】
空気圧縮機は、圧力計に接続されるとともに筐体中に収容され、
前記圧力計の目盛板は、前記筐体に形成された表示口から露出され、
前記圧力計は、円筒型本体を含み、
前記円筒型本体は、透明ペン型であり、
前記圧力計の前記目盛板の圧力値は、着色Ｏリングにより鮮明に見ることができ、
圧力値を有する前記目盛板は、前記圧力計の前記円筒型本体上に印刷されず、透明プレートが別途設置され、前記圧力計の前記円筒型本体に対向した前記透明プレートの内側面に圧力値を有する前記目盛板が設けられているため、使用するときに使用者による接触、クリーニング又は外部環境の汚染により見難く識別し難くなることを防ぎ、
前記透明プレートは、両面に印刷が可能であり、
前記透明プレートの外表面の正面印刷には、操作警告又は店舗のロゴが印刷可能であり、
前記目盛板上の目盛線は、前記圧力計内に配設された着色Ｏリングが力を受けて移動したときに、前記圧力計の気圧値を使用者が容易かつ正確に判読し得るように太線又は拡幅線に設計されていることを特徴とする、空気圧縮機の圧力計の表示構造。
【請求項２】
前記透明プレートは、補正ユニットを有し、
前記補正ユニットは、使用者が正確に調整することができるように、十字記号又はその他の図形記号であり、
前記補正ユニットは、前記透明プレートの内側面及び外表面に印刷され、前記補正ユニットを利用して前記透明プレートの内側面及び外表面の印刷の高度差及び斜め視角のずれにより、読取る視線が前記目盛板の印刷面に対して垂直となる原理に基づき、前記透明プレートの内側面及び外表面に印刷した前記十字記号の重なりを前記圧力計の気圧値の読取りに利用し、手作業又は自動化装置を操作する際、前記圧力計の気圧値を正確に読取ることを特徴とする請求項１に記載の空気圧縮機の圧力計の表示構造。
【請求項３】
圧力値を有する前記目盛板の前記透明プレートは、前記円筒型本体の前記圧力計に分離可能に結合され、
前記円筒型本体上には、少なくとも１つの位置決めフレームが設けられ、
前記位置決めフレーム上には、少なくとも１つの位置決めピンが設けられ、前記透明プレートに形成された位置決め孔には、前記円筒型本体の前記位置決めフレーム上に設けた前記位置決めピンが連結固定されることを特徴とする請求項２に記載の空気圧縮機の圧力計の表示構造。
【請求項４】
圧力値を有する前記目盛板の前記透明プレートの内側面は、前記円筒型本体と一体成形されることを特徴とする請求項２に記載の空気圧縮機の圧力計の表示構造。
【考案の詳細な説明】
【技術分野】
【０００１】
本考案は、空気圧縮機の圧力計の表示構造に関し、特に、透明プレートの両面に印刷可能であり、圧力計の本体に対向した透明プレートの内側面に圧力値を有する目盛板が設けられ、使用するときに使用者による接触、クリーニング又は外部環境の汚染により見難く識別し難くなることを防ぎ、圧力値を有する透明プレートが円柱型本体の圧力計と一体成形されるか分離可能に結合され、透明プレートが補正ユニットを有し、この補正ユニットを利用することにより使用者は正確に調整することができ、手作業又は自動化装置により操作する際、圧力計の気圧値を正確に読取ることができる、空気圧縮機の圧力計の表示構造に関する。
【背景技術】
【０００２】
本考案者の既に特許査定を受けた圧力計は、ピストン運動に似た方式により圧力を表示する圧力計であり、圧力値を示す表示パネル上の数字刻印が円筒型本体の外表面に設けられていたが、実際に圧力値を判読する際、表示パネルの数字が圧力計本体の弧状外表面上に刻印されていたため、使用者の視覚に視準誤差が生じ、正確な数値を判読することは容易でなかった。そのため本考案者は、従来の圧力計にあった欠点に鑑み、積極的に研究開発を行い、空気圧縮機の圧力計の表示構造を想到するに至った。特に、透明プレートの両面に印刷可能であり、本体に対向した透明プレートの内側面に圧力値を有する目盛板が設けられているため、使用するときに使用者による接触、クリーニング又は外部環境の汚染により見難く識別し難くなることを防ぎ、透明プレートが有する補正ユニットを利用することにより使用者は正確に調整することができ、手作業又は自動化装置により操作する際、圧力計の気圧値を正確に読取ることができる。
【考案の概要】
【考案が解決しようとする課題】
【０００３】
本考案の課題は、透明プレートの両面に印刷可能であり、透明プレートの圧力計に対向した内側面に圧力値の目盛板が表示され、使用するときに使用者による接触、クリーニング又は外部環境の汚染により見難く識別し難くなることを防ぐ、空気圧縮機の圧力計の表示構造を提供することにある。
本考案のもう一つの課題は、透明プレートが補正ユニットを有し、この補正ユニットを利用することにより使用者は正確に調整することができ、手作業又は自動化装置により操作する際、圧力計の気圧値を正確に読取ることができる、空気圧縮機の圧力計の表示構造を提供することにある。
【図面の簡単な説明】
【０００４】
【図１】図１は、本考案の一実施形態に係る圧力計の目盛が筐体の表示口から露出された状態を示す説明図である。
【図２】図２は、本考案の一実施形態に係る空気圧縮機が筐体に収容された状態を示す透視図である。
【図３】図３は、本考案の一実施形態に係る圧力計が空気圧縮機に取付けられた状態を示す斜視図である。
【図４】図４は、本考案の一実施形態に係る圧力計を示す斜視図である。
【図５】図５は、本考案の一実施形態に係る透明プレートと円柱型本体とを分離可能に結合する状態を示す分解斜視図である。
【図６】図６は、本考案の一実施形態に係る圧力計を示す上面図である。
【図７】図７は、本考案の一実施形態に係る圧力計を示す底面図である。
【図８】図８は、本考案の他の実施形態に係る圧力計を示す斜視図である。
【図９】図９は、図８の上面図である。
【図１０】図１０は、図８の側面図である。
【考案を実施するための形態】
【０００５】
図１〜図３を参照する。図１〜図３に示すように、本考案の一実施形態に係る空気圧縮機１３は、筐体１に収容される。筐体１上には、押しボタン式のスイッチ１１と、中空状の表示口１２と、が設けられる。空気圧縮機１３上には、圧力計２が接続される。圧力計２の目盛板３１０は、前述した筐体１の表示口１２から露出される。
【０００６】
本実施形態の圧力計２は、ピストン運動に似た方式により圧力を表示する圧力計である。圧力計２は、円筒型本体２１を含む。本体２１は、透明ペン型である。圧力計２は、着色Ｏリング２０により目盛板３１０の圧力値を鮮明に見ることができる（図３及び図６を参照する）。
【０００７】
本実施形態の技術的特徴は、圧力値の目盛板３１０が圧力計２の円筒型本体２１上に印刷されておらず、透明プレート３が別途設置されている点にあるとともに、圧力計２の円筒型本体２１に対向した透明プレート３の内側面３１に、圧力値を有する目盛板３１０が設けられているため、使用するときに使用者による接触、クリーニング又は外部環境の汚染により見難く識別し難くなることを防ぎ、圧力値を有する目盛板３１０の透明プレート３は、円筒型本体２１の圧力計２に分離可能に結合され、円筒型本体２１上には、少なくとも１つの位置決めフレーム２２が設けられる。位置決めフレーム２２上には、少なくとも１つの位置決めピン２２１が設けられる。透明プレート３に形成された位置決め孔３０には、円筒型本体２１の位置決めフレーム２２上に設けた位置決めピン２２１が連結固定される（図４及び図５に示す）。
【０００８】
目盛板３１０上の目盛線３１１は、太線又は拡幅線に設計され（図６を参照する）、圧力計２内に配設された着色Ｏリング２０が力を受けて移動したときに、使用者は圧力計２の気圧値を容易かつ正確に判読することができる。
【０００９】
図５を参照する。図５に示すように、本実施形態の透明プレート３は、補正ユニット３３，３４を有する。補正ユニット３３，３４は、使用者が正確に調整することができるように、十字記号でもよいしその他の図形記号でもよい。補正ユニット３３，３４は、透明プレート３の内側面３１及び外表面３２に印刷され、補正ユニット３３，３４を利用して透明プレート３の内側面３１及び外表面３２の印刷の高度差及び斜め視角のずれにより、読取る視線が目盛板３１０の印刷面に対して垂直となる原理に基づき、透明プレート３の内側面３１及び外表面３２に印刷した十字記号の重なりを圧力計２の気圧値の読取りに利用し、手作業又は自動化装置を操作する際、圧力計２の圧力値を正確に読取ることができる。
【００１０】
透明プレート３は、両面に印刷が可能である。透明プレート３の外表面３２の正面印刷には、操作警告、店舗のロゴ（Ｌｏｇｏ）などが印刷可能である。
【００１１】
図８〜図１０を参照する。図８〜図１０に示すように、圧力値を有する目盛板３１０の透明プレート３の内側面３１は、円筒型本体２１と一体成形されて圧力計２が構成される。
【００１２】
上述したことから分かるように、本考案の空気圧縮機の圧力計の表示構造は、透明プレート３の両面に印刷可能であり、圧力計２に対向した透明プレート３の内側面３１には、圧力値の目盛板３１０が表示され、使用されるときに使用者による接触、クリーニング又は外部環境の汚染により見難く識別し難くなることを防ぎ、圧力値を有する透明プレート３が円柱型本体２１の圧力計２と一体成形されるか分離可能に結合され、透明プレート３に補正ユニット３３，３４が設けられ、この補正ユニット３３，３４を利用することにより使用者は正確に調整することができ、手作業又は自動化装置により操作する際、圧力計２の気圧値を正確に読取ることができる。そのため、本考案の空気圧縮機の圧力計の表示構造は、従来の製品と異なり、計測した圧力値を正確に読取ることができるため実用的で新規性及び進歩性を有する。
【符号の説明】
【００１３】
１：筐体
２：圧力計
３：透明プレート
１１：スイッチ
１２：表示口
１３：空気圧縮機
２０：着色Ｏリング
２１：本体
２２：位置決めフレーム
３０：位置決め孔
３１：内側面
３２：外表面
３３：補正ユニット
３４：補正ユニット
２２１：位置決めピン
３１０：目盛板
３１１：目盛線
【図１】
0003230923.tif 000003
【図２】
0003230923.tif 000004
【図３】
0003230923.tif 000005
【図４】
0003230923.tif 000006
【図５】
0003230923.tif 000007
【図６】
0003230923.tif 000008
【図７】
0003230923.tif 000009
【図８】
0003230923.tif 000010
【図９】
0003230923.tif 000011
【図１０】
0003230923.tif 000012